(57)【特許請求の範囲】
【請求項１】
浄水器を備える水栓装置に用いられるバルブユニットであって、
水を流入させる第１の流入部と、
前記第１の流入部に流入した水を前記浄水器に向かって流出させる第１の流出部と、
前記第１の流入部から前記第１の流出部に向かう流路の開口面積を調節することで、前記第１の流入部から前記第１の流出部に向かう水の流量を調節する流量調節部と、
前記第１の流出部から流出した水を流入させる第２の流入部と、
前記第２の流入部に流入した水を流出させる複数の流出口を有する第２の流出部と、
前記第２の流出部の前記複数の流出口のうち前記第２の流入部につながる前記流出口を切り替えることで、前記第２の流入部に流入した水の流出先を切り替える切替部と、
前記流量調節部及び前記切替部を連動させる一つの操作部と、を備える水栓装置用バルブユニット。
【請求項２】
前記操作部は一本の回動軸を有し、前記流量調節部及び前記切替部は前記回動軸に連動する、請求項１記載の水栓装置用バルブユニット。
【請求項３】
前記流量調節部は、前記回動軸の中心軸線に交差するように設けられた流量調節用の板状体を有し、
前記流量調節用の板状体は、前記回動軸と共に回動することで前記流路の開口面積を調節する、請求項２記載の水栓装置用バルブユニット。
【請求項４】
前記流量調節部は、前記回動軸の中心軸線を囲むように設けられた流量調節用の筒状体を有し、
前記流量調節用の筒状体は、前記回動軸と共に回動することで前記流路の開口面積を調節する、請求項２記載の水栓装置用バルブユニット。
【請求項５】
前記切替部は、前記回動軸の中心軸線に交差するように設けられた切替用の板状体を有し、
前記切替用の板状体は、前記回動軸と共に回動することで、前記複数の流出口のうち前記第２の流入部につながる前記流出口を切り替える、請求項２〜４のいずれか一項記載の水栓装置用バルブユニット。
【請求項６】
前記切替部は、前記回動軸の中心軸線を囲むように設けられた切替用の筒状体を有し、
前記切替用の筒状体は、前記回動軸と共に回動することで、前記複数の流出口のうち前記第２の流入部につながる前記流出口を切り替える、請求項２〜４のいずれか一項記載の水栓装置用バルブユニット。
【請求項７】
前記切替部は、前記流量調節部における前記流路の開口面積に比べ大きい開口面積で、前記第２の流入部から前記流出口に向かう流路を開口させる、請求項１〜６のいずれか一項記載の水栓装置用バルブユニット。
【請求項８】
請求項１〜７のいずれか一項記載のバルブユニットと前記浄水器とを備える水栓装置。
【発明の詳細な説明】
【技術分野】
【０００１】
本発明は、水栓装置用バルブユニット及び水栓装置に関する。
【背景技術】
【０００２】
シャワー及びカランが接続された水栓装置を備える浴室が広く普及している。シャワー及びカランが接続された水栓装置は、温度調節用の操作部と、流量調節用の操作部と、シャワー及びカランの切替用の操作部とを備えている。近年、このような水栓装置を有する浴室において、水質を向上させることが望まれている。これを実現する技術として、例えば特許文献１には、浄水器を内蔵したシャワーヘッドが開示されている。特許文献１に記載されたシャワーヘッドには、浄水器を通過した浄水の吐出と通過しない原水の吐出とを切り替える水質切替用の操作部が設けられている。
【先行技術文献】
【特許文献】
【０００３】
【特許文献１】特許第４６７４３８８号公報
【発明の概要】
【発明が解決しようとする課題】
【０００４】
シャワーヘッドに内蔵された浄水器では、カランから吐出される水を浄化できない。そこで、浄水器を水栓装置に設け、シャワー及びカランの上流に配置することが考えられる。この場合、シャワー及びカランの切替用の操作部と、水質切替用の操作部と、流量調節用の操作部と温度調節用の操作部とが水栓装置に配置され、水栓装置に配置される操作部が増える。このため、水栓装置の操作が煩雑化する。
【０００５】
本発明は、浄水器を備える水栓装置の操作を簡素化できる水栓装置用バルブユニット及び水栓装置を提供することを目的とする。
【課題を解決するための手段】
【０００６】
本発明に係る水栓装置用バルブユニットは、浄水器を備える水栓装置に用いられるバルブユニットであって、水を流入させる第１の流入部と、第１の流入部に流入した水を浄水器に向かって流出させる第１の流出部と、第１の流入部から第１の流出部に向かう流路の開口面積を調節することで、第１の流入部から第１の流出部に向かう水の流量を調節する流量調節部と、第１の流出部から流出した水を流入させる第２の流入部と、第２の流入部に流入した水を流出させる複数の流出口を有する第２の流出部と、第２の流出部の複数の流出口のうち第２の流入部につながる流出口を切り替えることで、第２の流入部に流入した水の流出先を切り替える切替部と、流量調節部及び切替部を連動させる一つの操作部と、を備える。
【０００７】
この水栓装置用バルブユニットでは、第１の流入部に水が流入し、第１の流出部から流出する。流量調節部により、第１の流入部から第１の流出部に向かう水の流量が調節される。第１の流出部から流出した水は第２の流入部に流入し、第２の流出部から流出する。切替部により、第２の流出部からの水の流出先が切り替えられる。ここで、浄水器を内蔵する水栓装置では、水を吐出させていないときに浄水器を水道配管から遮断する必要があるため、浄水器は流量調節部に対し下流側に配置される必要がある。また、浄水器を通った水を複数の流出先に流出させるためには、浄水器は切替部に対し上流側に配置される必要がある。この配置を実現するために、第１の流出部及び第２の流入部が、流量調節部と切替部の間に設けられている。これにより、流量調節部及び切替部を一つのバルブユニットに設けつつ、流量調節部と切替部の間に浄水器を配置することが可能となっている。流量調節部及び切替部を一つのバルブユニットに設けることで、流量調節部及び切替部を一つの操作部に連動させることが可能となっている。流量調節部及び切替部を一つの操作部に連動させることにより、水の流量の調節と水の流出先の切り替えとを一つの操作部で行うことができる。従って、浄水器を備える水栓装置の操作を簡素化できる。
【０００８】
操作部は一本の回動軸を有し、流量調節部及び切替部は回動軸に連動してもよい。この場合、回動軸を回動させる簡単な操作により、流量調節部及び切替部を作動させることができる。このため、浄水器を備える水栓装置の操作をより簡素化できる。
【０００９】
流量調節部は、回動軸の中心軸線に交差するように設けられた流量調節用の板状体を有し、流量調節用の板状体は、回動軸と共に回動することで流路の開口面積を調節してもよい。また、流量調節部は、回動軸の中心軸線を囲むように設けられた流量調節用の筒状体を有し、流量調節用の筒状体は、回動軸と共に回動することで流路の開口面積を調節してもよい。いずれの場合も、流量調節部の構造を簡素化できる。
【００１０】
切替部は、切替部は、回動軸の中心軸線に交差するように設けられた切替用の板状体を有し、切替用の板状体は、回動軸と共に回動することで、複数の流出口のうち第２の流入部につながる流出口を切り替えてもよい。また、切替部は、回動軸の中心軸線を囲むように設けられた切替用の筒状体を有し、切替用の筒状体は、回動軸と共に回動することで、複数の流出口のうち第２の流入部につながる流出口を切り替えてもよい。いずれの場合も、切替部の構造を簡素化できる。
【００１１】
切替部は、流量調節部における流路の開口面積に比べ大きい開口面積で、第２の流入部から流出口に向かう流路を開口させてもよい。この場合、バルブユニットを通過する水の流量に対する切替部の影響をなくし、確実に流量調節部で水の流量を調節できる。浄水器に対し上流側に位置する流量調節部で流量を調節することにより、浄水器に余分な水が流入することを防止できる。
【００１２】
本発明に係る水栓装置は、上記バルブユニットと浄水器とを備える。この水栓装置によれば、水の流量の調節と水の流出先の切り替えとを一つの操作部で行うことができる。従って、浄水器を備える水栓装置の操作を簡素化できる。
【発明の効果】
【００１３】
本発明に係る水栓装置用バルブユニット及び水栓装置によれば、浄水器を備える水栓装置の操作を簡素化できる。
【図面の簡単な説明】
【００１４】
【図１】本発明に係るバルブユニットが内蔵された水栓装置の斜視図である。
【図２】水栓装置の構成を示すブロック図である。
【図３】バルブユニットの斜視図である。
【図４】図３中のIV-IV線に沿う断面図である。
【図５】図４中のV-V線に沿う断面図である。
【図６】図４中のVI-VI線に沿う断面図である。
【図７】図４中のVII-VII線に沿う断面図である。
【図８】図４中のVIII-VIII線に沿う断面図である。
【図９】回動ユニットの分解斜視図である。
【図１０】回動ユニットの分解斜視図である。
【図１１】図４中のXI-XI線に沿う断面図である。
【図１２】図４中のXII-XII線に沿う断面図である。
【図１３】図１１中の回動流調部材が一方側に回動した状態を示す図である。
【図１４】図１２中の回動切替部材が一方側に回動した状態を示す図である。
【図１５】図１１中の回動流調部材が他方側に回動した状態を示す図である。
【図１６】図１２中の回動切替部材が他方側に回動した状態を示す図である。
【図１７】切替バルブの変形例を示す断面図である。
【図１８】図１７中のXVIII−XVIII線に沿う断面図である。
【図１９】図１７中のXIX-XIX線に沿う断面図である。
【図２０】流量調節バルブの変形例を示す断面図である。
【図２１】図２０中のXXI-XXI線に沿う断面図である。
【図２２】流量調節バルブの他の変形例を示す断面図である。
【発明を実施するための形態】
【００１５】
以下、本発明に係る好適な実施形態について、図面を参照しつつ詳細に説明する。説明において、同一要素又は同一機能を有する要素には同一の符号を付し、重複する説明を省略する。
【００１６】
まず、本実施形態のバルブユニットを備える水栓装置について説明する。図１に示されるように、水栓装置１は、本体部２と、給水配管に接続される接続管３Ａと、給湯配管に接続される接続管３Ｂとを備えている。本体部２には、カラン４及びシャワー５が接続されている。シャワー５は、ホース５ａとシャワーヘッド（不図示）とを有している。本体部２の正面２ａには、水温調節ダイヤル６と、水質切替ボタン７と、バルブ操作ダイヤル８とが設けられている。
【００１７】
図２に示されるように、本体部２には、水温調節装置９と、バルブユニット１０と、水質切替装置１１と、浄水器１２とが内蔵されている。水温調節装置９は、接続管３Ａ，３Ｂに連結されている。水温調節装置９は、水温調節ダイヤル６の回動操作に伴って作動し、接続管３Ａから流入した水の流路と、接続管３Ｂから流入した湯の流路との開口比率を変更する。これにより、湯水の混合比率が調節され、水温が調節される。
【００１８】
バルブユニット１０は、水温調節装置９において水温が調節された水を受け入れ、浄水器１２側に送り出し、浄水器１２側から戻ってきた水を再度受け入れ、カラン４又はシャワー５に流出させる。バルブユニット１０は、バルブ操作ダイヤル８の回動操作に伴って作動し、水の流量を調節すると共に、水の流出先をカラン４又はシャワー５に切り替える。
【００１９】
水質切替装置１１は、水質切替ボタン７の押し込み操作によって作動し、バルブユニット１０から浄水器１２側に流出した水を浄水器１２に通してバルブユニット１０に戻すか、浄水器１２に通さずにバルブユニット１０に戻すかを切り替える。
【００２０】
浄水器１２としては、不純物を濾過又は吸着して取り除く濾過部又は吸着部を有するもの（以下、濾過・吸着型浄水器という。）、溶解性の重金属を捕捉する重金属捕捉部を有するもの（以下、重金属捕捉型浄水器という。）、薬剤を水中に放出して水質を改善する薬剤添加部を有するもの（以下、薬剤添加型浄水器という。）、ミネラルを添加して（硬度を高めて）水質を改善するミネラル添加部を有するもの（以下、ミネラル添加型浄水器という。）等が挙げられる。浄水器１２は、濾過・吸着型浄水器、重金属捕捉型浄水器、薬剤添加型浄水器、ミネラル添加型浄水器のいずれであってもよく、これらのうち２種以上の組み合わせであってもよい。塩素除去を効率的に実現できる点、浄水器１２のコスト上昇を抑えられる点で、薬剤添加型浄水器が特に好ましい。
【００２１】
濾過・吸着型浄水器の濾過部としては、不織布積層体、糸巻体、活性炭成形体、活性炭充填体、ゼオライト充填体、砂・砂利充填体、精密濾過膜、限外濾過膜、セラミック膜、逆浸透膜等を含むものが挙げられる。圧力損失が低く、異物を濾過する速度が高い点で、不織布積層体又は糸巻体が特に好ましい。濾過・吸着型浄水器の吸着部としては活性炭成形体、活性炭充填体、ゼオライト充填体、キレート樹脂、キレート繊維、シリカゲル、さんご石等を含むものが挙げられる。有機物を効果的に除去し、臭いを効果的に除去できる点で、活性炭成形体又は活性炭充填体が特に好ましい。
【００２２】
重金属捕捉型浄水器の重金属捕捉部としては、ゼオライト充填体、イオン交換樹脂、イオン交換繊維、ケイ酸チタン、リン酸カルシウム、キレート樹脂、キレート繊維等を含むものが挙げられる。安価である点で、ゼオライト充填体が特に好ましい。重金属捕捉部の製造工程において取り扱い易い点で、イオン交換樹脂又はイオン交換繊維が特に好ましい。なお、水の硬度が高いと、ゼオライト充填体、イオン交換樹脂又はイオン交換繊維を用いることができない場合がある。このような場合であっても、キレート樹脂又はキレート繊維を用いることができる。
【００２３】
薬剤添加型浄水器の薬剤添加部としては、亜硫酸カルシウム、アスコルビン酸等を含むものが挙げられる。水に溶解した状態での安定性が高く、遊離残留塩素に対して安定した除去効果を維持できる点で、亜硫酸カルシウムが特に好ましい。ミネラル添加型浄水器のミネラル添加部としては、硫酸カルシウム、さんご石、麦飯石等が挙げられる。ミネラルの添加量を調節し易い点で、硫酸カルシウムが特に好ましい。
【００２４】
続いて、バルブユニット１０について詳細に説明する。図３及び図４に示されるように、バルブユニット１０は円柱状の外形を呈し、水栓装置１の本体部２に形成されたバルブ収容孔２ｃに収容される。バルブ収容孔２ｃに収容されたバルブユニット１０の中心軸線ＣＬ１は、本体部２の正面２ａに直交する。以下の説明において、「先端」、「基端」、「左右」は、本体部２の正面２ａ側を基端側、背面側を先端側とした場合の方向を意味する。
【００２５】
バルブユニット１０は、第１のケース１５と、ケース１５の先端側に連結された第２のケース１６とを備えている。ケース１５，１６は円柱状の外径を呈し、ケース１５，１６の中心軸線は中心軸線ＣＬ１に一致している。ケース１５，１６は、例えば樹脂材料により構成されている。樹脂材料としては、ポリアセタール（ＰＯＭ）、ポリフェニレンサルファイド（ＰＰＳ）、ガラス入りのＡＢＳ樹脂等の熱可塑性樹脂が挙げられる。金属材料によりケース１５，１６を構成してもよい。
【００２６】
ケース１５の基端部の外周面には、回転防止用の凸部１５ａが形成されている。本体部２の正面２ａには凸部１５ａに対応する凹部２ｂが形成されており、凸部１５ａは凹部２ｂに嵌まり込む。これにより、本体部２に対するケース１５の回動が防止される。以下の説明において、「上側」、「下側」とは、凸部１５ａ側を上側とした場合の方向を意味するものとする。
【００２７】
ケース１５の外周面のうち、基端側から先端側に向かう方向に沿って並ぶ３箇所には、全周に亘る溝１５ｂ，１５ｃ，１５ｄがそれぞれ形成されている。溝１５ｂ，１５ｃ，１５ｄには、Ｏリング１７Ａ，１７Ｂ，１７Ｃがそれぞれ収容されており、Ｏリング１７Ａ，１７Ｂ，１７Ｃのそれぞれは、ケース１５の外周面とバルブ収容孔２ｃの内周面との隙間を封止する。ケース１５の基端面１５ｅの中央には、円柱状の凸部１５ｆが形成されている。
【００２８】
ケース１５の内側には、基端側から先端側に向かう方向に沿って連なる孔１８Ａ，１８Ｂ，１８Ｃ，１８Ｄが形成されている。孔１８Ａ，１８Ｂ，１８Ｃ，１８Ｄのそれぞれの中心軸線は中心軸線ＣＬ１に一致している。最も基端側の孔１８Ａは、凸部１５ｆの基端面１５ｇで開口している。基端側から２番目の孔１８Ｂの内径は、最も基端側の孔１８Ａの内径に比べ大きい。孔１８Ａと孔１８Ｂの境界は、凸部１５ｆ内で基端面１５ｇの近傍に位置している。基端側から３番目の孔１８Ｃの内径は、基端側から２番目の孔１８Ｂの内径に比べ大きい。孔１８Ｂと孔１８Ｃの境界は、Ｏリング１７Ａの近傍に位置している。基端側から４番目の孔１８Ｄは、ケース１５の先端側に開口している。孔１８Ｄの内径は、基端側から３番目の孔１８Ｃの内径に比べ大きい。孔１８Ｃと孔１８Ｄの境界は、Ｏリング１７Ｂの近傍に位置している。
【００２９】
ケース１５のうち、Ｏリング１７ＡとＯリング１７Ｂの間の部分は、水を流入させる第１の流入部Ｐ１を構成し、Ｏリング１７ＢとＯリング１７Ｃの間の部分は、第１の流入部Ｐ１に流入した水を流出させる第１の流出部Ｐ２を構成する。Ｏリング１７Ｃより先端側の部分は、第１の流出部Ｐ２から流出した水を流入させる第２の流入部Ｐ３を構成する。孔１８Ｃは、第１の流入部Ｐ１の内部空間Ｓ１を構成し、孔１８Ｄは、第１の流出部Ｐ２及び第２の流入部Ｐ３の内部空間Ｓ２を構成する。第１の流入部Ｐ１には、円周方向に並ぶ４つの流入口１９が形成されている。各流入口１９により、第１の流入部Ｐ１の内部空間Ｓ１が外側に開放されている（図５参照）。第１の流出部Ｐ２には、円周方向に並ぶ４つの流出口２０が形成されている。各流出口２０により、内部空間Ｓ２の第１の流出部Ｐ２側が外側に開放されている（図１１参照）。
【００３０】
ケース１６の外周面のうち、基端側から先端側に向かう方向に沿って並ぶ２箇所には、全周に亘る溝１６ａ，１６ｂがそれぞれ形成されている。溝１６ａ，１６ｂには、Ｏリング１７Ｄ，１７Ｅがそれぞれ収容されており、Ｏリング１７Ｄ，１７Ｅは、ケース１６の外周面とバルブ収容孔２ｃの内周面との隙間を封止する。ケース１６のうちＯリング１７Ｄより基端側の部分の外径は、Ｏリング１７Ｄより先端側の部分の外径より大きく、ケース１５の先端側の外径と同等である。
【００３１】
ケース１６には、基端側から先端側に向かう方向に沿って連なる孔１８Ｅ，１８Ｆが形成されている。孔１８Ｅ，１８Ｆのそれぞれの中心軸線は中心軸線ＣＬ１に一致している。孔１８Ｅはケース１６の基端側に開口し、孔１８Ｆはケース１６の先端側に開口している。孔１８Ｅの内径は孔１８Ｆの内径に比べ大きい。孔１８Ｅと孔１８Ｆの境界はＯリング１７Ｄの近傍に位置している。
【００３２】
ケース１６のうちＯリング１７Ｄより基端側の部分は、ケース１５のうちＯリング１７Ｃより先端側の部分と協働して、第２の流入部Ｐ３を構成する。第２の流入部Ｐ３は、第１の流出部Ｐ２から流出した水を再度流入させる。孔１８Ｅは、ケース１５の孔１８Ｄと協働して、第１の流出部Ｐ２及び第２の流入部Ｐ３の内部空間Ｓ２を構成する。ケース１６の基端部の上側部分と下側部分のそれぞれには、連結用凸部１６ｃが形成されている。各連結用凸部１６ｃは、ケース１６の外周に沿ってケース１５側に突出する。各連結用凸部１６ｃには、上下方向に開口する連結孔１６ｅが形成されている。
【００３３】
ケース１６の基端部の左側部分と右側部分には、位置決用凸部１６ｇ，１６ｈがそれぞれ形成されている（図１２参照）。位置決用凸部１６ｇ，１６ｈは、ケース１６の外周に沿ってケース１５側に突出しており、ケース１６の外周に沿う方向における位置決用凸部１６ｇ，１６ｈの幅は互いに異なっている。
【００３４】
ケース１５の先端部の上側部分と下側部分のそれぞれには、連結用凸部１５ｈが形成されている。各連結用凸部１５ｈは、ケース１５の外周に沿ってケース１６側に突出する。各連結用凸部１５ｈの外面には、外側に突出する連結爪部１５ｋが形成されている。連結用凸部１５ｈは、連結用凸部１６ｃの内側に重なり、連結爪部１５ｋは連結孔１６ｅに入り込む。これにより、ケース１５とケース１６が連結される。
【００３５】
ケース１５の先端部の左側部分には、一対の位置決用凸部１５ｎ，１５ｎがそれぞれ形成されている。位置決用凸部１５ｎ，１５ｎは、ケース１５の外周に沿ってケース１６側に突出し、周方向で位置決用凸部１６ｇを挟む。ケース１５の先端部の右側部分には、一対の位置決用凸部１５ｐ，１５ｐがそれぞれ形成されている。位置決用凸部１５ｐ，１５ｐは、ケース１５の外周に沿ってケース１６側に突出し、周方向で位置決用凸部１６ｈを挟む。上述したように、位置決用凸部１６ｇ，１６ｈの幅が互いに異なっているため、ケース１６を誤った向きでケース１５に取り付けてしまう誤組立が防止される。
【００３６】
ケース１５とケース１６を連結すると、連結用凸部１６ｃ、位置決用凸部１６ｇ，１６ｈの間の４箇所に流入口２２が形成される（図１２参照）。各流入口２２により、内部空間Ｓ２の第２の流入部Ｐ３側が外側に開放される。
【００３７】
ケース１６のうちＯリング１７Ｄより先端側の部分は、第２の流出部Ｐ４を構成している。第２の流出部Ｐ４は、第２の流入部Ｐ３に流入した水をカラン４又はシャワー５に流出させる。第２の流出部Ｐ４には、孔１８Ｆを上下に区画する区画壁２１が形成されている。区画壁２１の基端は、孔１８Ｅの底面に揃っている。区画壁２１の上側の空間は第２の流出部Ｐ４の上側内部空間Ｓ３を構成し、区画壁２１の下側の空間は第２の流出部Ｐ４の下側内部空間Ｓ４を構成している。区画壁２１の先端部には、下側内部空間Ｓ４の先端側を閉塞する閉塞壁２１ａが設けられている。
【００３８】
第２の流出部Ｐ４の下部のうちＯリング１７Ｅより基端側の部分には、円周方向に並ぶ２つの流出口２３が形成されている。流出口２３により、下側内部空間Ｓ４が外側に開放されている（図８参照）。流出口２３は、カラン４につながる。上側内部空間Ｓ３は、第２の流出部Ｐ４の先端側に開放されており、上側内部空間Ｓ３の先端側の開口部は、シャワー５につながる流出口２４を構成している。流出口２３と流出口２４の間はＯリング１７Ｅにより仕切られる。なお、流出口２３がシャワー５につながり、流出口２４がカラン４につながっていてもよい。流出口２３，２４は、カラン、シャワー以外の流出先につながっていてもよい。
【００３９】
ケース１５内には、中心軸線ＣＬ１を中心に回動する回動軸（操作部）３０が設けられている。回動軸３０は、例えば樹脂材料により構成されている。樹脂材料としては、ポリアセタール（ＰＯＭ）、ポリフェニレンサルファイド（ＰＰＳ）、ガラス入りのＡＢＳ樹脂等の熱可塑性樹脂が挙げられる。金属材料により回動軸３０を構成してもよい。回動軸３０の先端部３０ｂは、第１の流出部Ｐ２及び第２の流入部Ｐ３の内部空間Ｓ２内に位置し、回動軸３０の基端部３０ａは、ケース１５の孔１８Ａを貫通して外部に露出している。回動軸３０の基端部３０ａには、バルブ操作ダイヤル８が装着される。バルブ操作ダイヤル８には、先端側に開口する挿入孔８ａが形成され、基端部３０ａは挿入孔８ａに挿入される。基端部３０ａの断面形状及び挿入孔８ａの断面形状は互いに嵌合する六角形となっている。このため、バルブ操作ダイヤル８及び回動軸３０は共に回動する。なお、基端部３０ａの断面形状及び挿入孔８ａの断面形状は、例えば三角形、四角形等、六角形以外の多角形であってもよい。
【００４０】
回動軸３０の外周面のうち、基端側から先端側に向かう方向に沿って並ぶ２箇所には、全周に亘る溝３０ｃ，３０ｄが形成されている。溝３０ｃ，３０ｄは、ケース１５の孔１８Ｂ内に位置している。溝３０ｃ，３０ｄには、Ｏリング１７Ｆ，１７Ｇがそれぞれ収容されている。Ｏリング１７Ｆ，１７Ｇは、回動軸３０の外周面と孔１８Ｂの内周面との隙間を封止している。これにより、孔１８Ａ，１８Ｂを通って基端側に水が漏出することが防止されている。
【００４１】
回動軸３０の先端部３０ｂには、円形のフランジ部３１が形成されている。フランジ部３１は、ケース１５のＯリング１７Ｃの近傍、すなわち第１の流出部Ｐ２と第２の流入部Ｐ３の境界の近傍に位置している。フランジ部３１の外周には、全周に亘る溝３１ａが形成され、溝３１ａ内にＯリング１７Ｈが収容されている。Ｏリング１７Ｈは、フランジ部３１の外周面と孔１８Ｄの内周面との隙間を封止している。これにより、内部空間Ｓ２は、第１の流出部Ｐ２側と第２の流入部Ｐ３側とに仕切られている。内部空間Ｓ２における第１の流出部Ｐ２側には、流量調節バルブＶ１が収容されている。内部空間Ｓ２における第２の流入部Ｐ３側には、切替バルブＶ２が収容されている。以下、流量調節バルブＶ１及び切替バルブＶ２の各部材の説明における「上下」は、流量調節バルブＶ１及び切替バルブＶ２が閉じられた状態での上下を意味するものとする。
【００４２】
流量調節バルブＶ１は、ケース１５の孔１８Ｄ内に固定された固定流調部材３２と、フランジ部３１と共に回動する回動流調部材３３とを有している。固定流調部材３２及び回動流調部材３３は、例えばセラミック材料により構成されている。固定流調部材３２及び回動流調部材３３は、中心軸線ＣＬ１に直交する板状部材である。固定流調部材３２は、内部空間Ｓ２内における最も基端側に配置され、回動流調部材３３は、固定流調部材３２とフランジ部３１の間に配置されている。固定流調部材３２及び回動流調部材３３の中央部には、回動軸３０が挿通されている。
【００４３】
図４及び図６に示されるように、固定流調部材３２は円形の外形を呈している。固定流調部材３２の中心軸線は中心軸線ＣＬ１に一致している。固定流調部材３２の外周面の下側部分、左側部分、右側部分には、中心軸線ＣＬ１に平行な溝３２ａ，３２ｂ，３２ｃがそれぞれ形成されている。溝３２ａ，３２ｂ，３２ｃの幅は不均一となっている。孔１８Ｄの内面の下側部分、左側部分、右側部分には、溝３２ａ，３２ｂ，３２ｃにそれぞれ嵌まり込む凸部３４Ａ，３４Ｂ，３４Ｃが形成されている。凸部３４Ａ，３４Ｂ，３４Ｃが溝３２ａ，３２ｂ，３２ｃにそれぞれ嵌まり込むことにより、固定流調部材３２の回動が防止されている。溝３２ａ，３２ｂ，３２ｃの幅が不均一となっていることから、固定流調部材３２を誤った向きでケース１５に取り付けてしまう誤組み立てが防止される。
【００４４】
固定流調部材３２の中央には、回動軸３０が挿通される挿通孔３５が形成されている。挿通孔３５の内径は、回動軸３０の外径より大きい。固定流調部材３２の先端側には、挿通孔３５の一部を塞ぐ閉塞壁３６が形成されている。閉塞壁３６は、回動軸３０の上側に設けられ、中心軸線ＣＬ１を中心とする扇形状を呈している。閉塞壁３６に塞がれていない部分において、挿通孔３５の先端部３５ｂの内径は、基端部３５ａの内径に比べ大きい。挿通孔３５の基端部３５ａと先端部３５ｂの間の中間部３５ｃの内径は、基端側から先端側へ向かうに従い徐々に大きくなっている。挿通孔３５のうち、閉塞壁３６によって閉塞されていない部分は、第１の流入部Ｐ１から第１の流出部Ｐ２に水を通す開口部Ｒ１となる。
【００４５】
内部空間Ｓ２の基端面（孔１８Ｃ，１８Ｄの境界面）には、孔１８Ｃの周縁に沿って溝Ｄ１が形成され、溝Ｄ１内にパッキン３７が収容されている。パッキン３７は、固定流調部材３２の基端面と内部空間Ｓ２の基端面の隙間を封止すると共に、固定流調部材３２を回動流調部材３３に向かって押圧する。これにより、固定流調部材３２と回動流調部材３３の隙間も封止される。
【００４６】
図４及び図９〜図１１に示されるように、回動流調部材３３は円形の外径を呈している。回動流調部材３３の中心軸線は中心軸線ＣＬ１に一致している。回動流調部材３３の中央には、回動軸３０を挿通するための挿通孔３３ａが形成されている。回動軸３０の外周面のうち、回動流調部材３３の挿通孔３３ａ内に位置する部分には全周に亘る溝３０ｅが形成され、溝３０ｅ内にＯリング１７Ｊが収容されている。Ｏリング１７Ｊにより、回動軸３０の外周面と挿通孔３３ａの内周面との隙間が封止されている。
【００４７】
回動流調部材３３の先端面３３ｂには、外縁の円周に沿う隆起部３３ｃが形成されている。隆起部３３ｃの左側部分及び右側部分には、切欠部３３ｄ，３３ｅが形成されている。切欠部３３ｄ，３３ｅの幅は互いに異なっている。フランジ部３１の基端面３１ｂの中央には、円形の凸部３１ｃが形成されている。凸部３１ｃは、隆起部３３ｃに囲まれた凹部に嵌まり込む。これにより、フランジ部３１の中心軸線と回動流調部材３３の中心軸線とが揃えられる。
【００４８】
凸部３１ｃの左側及び右側には、隆起部３３ｃの切欠部３３ｄ，３３ｅに嵌まり込む凸部３１ｄ，３１ｅが形成されている。切欠部３３ｄ，３３ｅに凸部３１ｄ，３１ｅが嵌まり込むことにより、回動流調部材３３がフランジ部３１と共に回動する。切欠部３３ｄ，３３ｅの幅は互いに異なっていることから、回動流調部材３３を誤った向きでフランジ部３１に取り付けてしまう誤組み立てが防止される。
【００４９】
回動流調部材３３の上部のうち、固定流調部材３２の閉塞壁３６に対応する部分には、切欠部３３ｆが形成されている。回動流調部材３３は、固定流調部材３２の開口部Ｒ１を塞ぐ。これにより、第１の流入部Ｐ１から第１の流出部Ｐ２に向かう水の流路が閉塞される。フランジ部３１と共に回動流調部材３３が回動すると、開口部Ｒ１と切欠部３３ｆとが重なって開口Ｈ１が形成される（図１３及び図１５参照）。回動流調部材３３の回動角度を調節することにより、開口Ｈ１の面積が調節される。すなわち、第１の流入部から第１の流出部に向かう流路の開口面積が調節される。
【００５０】
このように、回動軸３０の中心軸線ＣＬ１に交差するように設けられた板状体である回動流調部材３３を採用し、回動軸３０の回動に伴う回動流調部材３３の回動により流量を調節することで、流量調節バルブの構造を簡素化できる。また、固定流調部材３２及び回動流調部材３３が板状体であると、これらの部材をセラミック材料で構成し易い。固定流調部材３２及び回動流調部材３３をセラミック材料で構成する場合、金属材料で構成するのに比べ表面の平滑化を図り易い。そこで、本実施形態では、固定流調部材３２及び回動流調部材３３をセラミック材料で構成し、固定流調部材３２と回動流調部材３３の表面の平滑化を図っている。これにより、固定流調部材３２と回動流調部材３３との間にゴム製のパッキン等を配置することなく、流量調節バルブＶ１を構成している。この構成では、固定流調部材３２と回動流調部材３３の間でパッキン等の摩耗が生じないため、流量調節バルブＶ１の耐久性を向上させることができる。また、固定流調部材３２と回動流調部材３３の間の摩擦抵抗が低減されるため、より軽い力でバルブユニット１０を操作できる。
【００５１】
なお、固定流調部材３２及び回動流調部材３３のいずれか一方をセラミック材料で構成し、他方を炭化ケイ素で構成してもよい。この場合、固定流調部材３２と回動流調部材３３の間の摩擦抵抗を更に低減させることができる。
【００５２】
図４に示されるように、切替バルブＶ２は、ケース１６の孔１８Ｅ内に固定された固定切替部材４０と、フランジ部３１と共に回動する回動切替部材４１とを有している。固定切替部材４０及び回動切替部材４１は、例えばセラミック材料により構成されている。固定切替部材４０及び回動切替部材４１は、回動軸３０の中心軸線ＣＬ１に直交する板状部材である。固定切替部材４０は、内部空間Ｓ２内における最も先端側に配置され、回動切替部材４１は、固定切替部材４０とフランジ部３１の間に配置されている。
【００５３】
図４及び図７に示されるように、固定切替部材４０は円形の外形を呈している。固定切替部材４０の中心軸線は中心軸線ＣＬ１に一致している。固定切替部材４０の外周面の上側部分、下側部分、左側部分、右側部分には、凸部４０ａ，４０ｂ，４０ｃ，４０ｄがそれぞれ形成されている。固定切替部材４０の外周に沿う方向における凸部４０ａ，４０ｂ，４０ｃ，４０ｄの幅は不均一となっている。
【００５４】
内部空間Ｓ２の基端部をなす孔１８Ｅの内面の上側部分、下側部分、左側部分、右側部分には、凸部４０ａ，４０ｂ，４０ｃ，４０ｄが嵌まり込む溝４２Ａ，４２Ｂ，４２Ｃ，４２Ｄがそれぞれ形成されている。溝４２Ａ，４２Ｂ，４２Ｃ，４２Ｄのそれぞれは、中心軸線ＣＬ１に平行に形成されている。凸部４０ａ，４０ｂ，４０ｃ，４０ｄが溝４２Ａ，４２Ｂ，４２Ｃ，４２Ｄにそれぞれ嵌まり込むことにより、固定切替部材４０の回動が防止されている。凸部４０ａ，４０ｂ，４０ｃ，４０ｄの幅が不均一となっていることから、固定切替部材４０を誤った向きでケース１６に取り付けてしまう誤組み立てが防止される。
【００５５】
固定切替部材４０には、中心軸線ＣＬ１を中心とする円形の開口部４３と、開口部４３の一部を塞ぐ閉塞壁４４とが形成されている。閉塞壁４４は固定切替部材４０の右側部分に形成され、中心軸線ＣＬ１を中心とする扇形状を呈している。開口部４３は、仕切壁４５により、上側開口部４６と下側開口部４７とに区画されている。上側開口部４６は、第２の流出部Ｐ４の上側内部空間Ｓ３につながっている。下側開口部４７は、第２の流出部Ｐ４の下側内部空間Ｓ４につながっている。
【００５６】
上側開口部４６の先端部４６ｂの開口面積は、基端部４６ａの開口面積に比べ小さい。基端部４６ａと先端部４６ｂの間の中間部４６ｃの開口面積は、基端側から先端側に向かうに従い徐々に小さくなっている。下側開口部４７の先端部４７ｂの開口面積は、基端部４７ａの開口面積に比べ小さい。基端部４７ａと先端部４７ｂの間の中間部４７ｃの開口面積は、基端側から先端側に向かうに従い徐々に小さくなっている。
【００５７】
内部空間Ｓ２の先端面（孔１８Ｅと孔１８Ｆの境界面）には、孔１８Ｆの周縁及び区画壁２１に沿って溝Ｄ２が形成され、溝Ｄ２内にパッキン４８が収容されている。パッキン４８は、固定切替部材４０の先端面と内部空間Ｓ２の先端面の隙間を封止すると共に、固定切替部材４０を回動切替部材４１に向かって押圧する。これにより、固定切替部材４０と回動切替部材４１の隙間も封止される。
【００５８】
図４、図９、図１０及び図１２に示されるように、回動切替部材４１は円形の外径を呈している。回動切替部材４１の中心軸線は中心軸線ＣＬ１に一致している。回動切替部材４１の基端面の上側部分、下側部分、左側部分には、凹部４１ａ，４１ｂ，４１ｃが形成されている。回動切替部材４１の外周に沿う方向における凹部４１ａ，４１ｂ，４１ｃの幅は不均一となっている。フランジ部３１の先端面３１ｆには、凹部４１ａ，４１ｂ，４１ｃにそれぞれ嵌まり込む凸部３１ｇ，３１ｈ，３１ｋが形成されている。凹部４１ａ，４１ｂ，４１ｃに凸部３１ｇ，３１ｈ，３１ｋがそれぞれ嵌まり込むことにより、回動切替部材４１がフランジ部３１と共に回動する。凹部４１ａ，４１ｂ，４１ｃの幅が不均一となっていることから、回動切替部材４１を誤った向きでフランジ部３１に取り付けてしまう誤組み立てが防止される。
【００５９】
回動切替部材４１のうち、固定切替部材４０の閉塞壁４４に対応する部分には、切欠部４１ｄが形成されている。回動切替部材４１は、固定切替部材４０の開口部４３を塞ぐ。これにより、第２の流出部Ｐ４の流出口２３，２４と第２の流入部Ｐ３との間が遮断される。フランジ部３１と共に回動切替部材４１が回動すると、上側開口部４６又は下側開口部４７と切欠部４１ｄとが重なり、上側開口部４６又は下側開口部４７の一部が開放される（図１４及び図１６参照）。これにより、流出口２３，２４のうち第２の流入部Ｐ３につながる流出口が切り替えられ、第２の流出部Ｐ４からの水の流出先が切り替えられる。第２の流入部Ｐ３から流出口２３，２４に向かう流路を切替バルブＶ２が開口させる面積は、第１の流入部Ｐ１から第１の流出部Ｐ２に向かう流路を流量調節バルブＶ１が開口させる面積に比べ大きい。
【００６０】
このように、回動軸３０の中心軸線ＣＬ１に交差するように設けられた板状体である回動切替部材４１を採用し、回動軸３０の回動に伴う回動切替部材４１の回動により水の流出先を切り替えることで、切替バルブの構造を簡素化できる。また、本実施形態では、固定切替部材４０及び回動切替部材４１をセラミック材料で構成し、固定切替部材４０と回動切替部材４１の表面の平滑化を図っている。これにより、固定切替部材４０と回動切替部材４１の間にゴム製のパッキン等を配置することなく、切替バルブＶ２を構成している。この構成では、固定切替部材４０と回動切替部材４１の間でパッキン等の摩耗が生じないため、切替バルブＶ２の耐久性を向上させることができる。また、固定切替部材４０と回動切替部材４１の間の摩擦抵抗が低減されるため、より軽い力でバルブユニット１０を操作できる。
【００６１】
なお、固定切替部材４０及び回動切替部材４１のいずれか一方をセラミック材料で構成し、他方を炭化ケイ素で構成してもよい。この場合、固定切替部材４０と回動切替部材４１の間の摩擦抵抗を更に低減させることができる。
【００６２】
続いて、バルブユニット１０の動作について説明する。バルブユニット１０では、バルブ操作ダイヤル８を回して回動軸３０を回動させる簡単な操作により、流量調節バルブＶ１及び切替バルブＶ２を作動させることができる。基端側から見て反時計回りに回動軸３０が回動すると、図１３及び図１４に示されるように、回動流調部材３３の切欠部３３ｆが左方向に移動すると共に、回動切替部材４１の切欠部４１ｄが上方に移動する。切欠部３３ｆと固定流調部材３２の開口部Ｒ１とが重なって開口Ｈ１が形成される。切欠部４１ｄと固定切替部材４０の上側開口部４６とが重なって開口Ｈ２が形成される。
【００６３】
すると、流入口１９を通って第１の流入部Ｐ１内に流入した水が、開口Ｈ１を通って第１の流出部Ｐ２内に流入し、流出口２０から浄水器１２に向かって流出する。浄水器１２に向かって流出し、浄水器１２側から戻った水は、流入口２２を通って第２の流入部Ｐ３内に流入する。第２の流入部Ｐ３内に流入した水は、開口Ｈ２を通って第２の流出部Ｐ４の上側内部空間Ｓ３に流入し、流出口２４から流出する。流出口２４から流出した水はシャワー５を通って吐出される。
【００６４】
開口Ｈ１の面積は、回動軸３０の回動角度に応じて変わる。このため、回動軸３０の回動角度を調節することにより、第１の流入部Ｐ１から第１の流出部Ｐ２に向かう流路の開口面積を調節し、バルブユニット１０を通過する水の流量を調節できる。
【００６５】
基端側から見て時計回りに回動軸３０が回動すると、図１５及び図１６に示されるように、回動流調部材３３の切欠部３３ｆが右方向に移動すると共に、回動切替部材４１の切欠部４１ｄが下方に移動する。切欠部３３ｆと固定流調部材３２の開口部Ｒ１とが重なって開口Ｈ１が形成される。切欠部４１ｄと固定切替部材４０の下側開口部４７とが重なって開口Ｈ３が形成される。
【００６６】
すると、流入口１９を通って第１の流入部Ｐ１内に流入した水が、開口Ｈ１を通って第１の流出部Ｐ２内に流入し、流出口２０から浄水器１２に向かって流出する。浄水器１２に向かって流出し、浄水器１２側から戻った水は、流入口２２を通って第２の流入部Ｐ３内に流入する。第２の流入部Ｐ３内に流入した水は、開口Ｈ３を通って第２の流出部Ｐ４の下側内部空間Ｓ４に流入し、流出口２３から流出する。流出口２３から流出した水は、カラン４を通って吐出される。
【００６７】
開口Ｈ１の面積は、回動軸３０の回動角度に応じて変わる。このため、回動軸３０の回動角度を調節することにより、第１の流入部Ｐ１から第１の流出部Ｐ２に向かう流路の開口面積を調節し、バルブユニット１０を通過する水の流量を調節できる。
【００６８】
このように、回動軸３０の回動方向を変えることにより、第２の流出部Ｐ４の流出口２３，２４のうち第２の流入部Ｐ３につながる流出口が切り替えられ、水の流出先がシャワー５とカラン４のいずれかに切り替えられる。また、回動軸３０の回動角度を調節することにより、水の流量が調節される。
【００６９】
なお、切替バルブＶ２による開口Ｈ２，Ｈ３の面積も、回動軸３０の回動角度に応じて変わるが、上述したように、第２の流入部Ｐ３から流出口２３，２４に向かう流路を切替バルブＶ２が開口させる面積は、第１の流入部Ｐ１から第１の流出部Ｐ２に向かう流路を流量調節バルブＶ１が開口させる面積に比べ大きい。すなわち、開口Ｈ２，Ｈ３の面積は、開口Ｈ１の面積より大きい。これにより、バルブユニット１０を通過する水の流量に対する切替バルブＶ２の影響がなくなり、確実に流量調節バルブＶ１で流量が調節される。浄水器１２に対し上流側に位置する流量調節バルブＶ１で流量を調節することにより、浄水器１２に余分な水が流入することを防止できる。
【００７０】
以上に説明したように、バルブユニット１０では、第１の流入部Ｐ１に水が流入し、第１の流出部Ｐ２から流出する。流量調節バルブＶ１により、第１の流入部Ｐ１から第１の流出部Ｐ２に向かう水の流量が調節される。第１の流出部Ｐ２から流出した水は第２の流入部Ｐ３に流入し、第２の流出部Ｐ４から流出する。切替バルブＶ２により、第２の流出部Ｐ４からの水の流出先が切り替えられる。ここで、浄水器１２を内蔵する水栓装置１では、水を吐出させていないときに浄水器１２を水道配管から遮断する必要があるため、浄水器１２は流量調節バルブＶ１に対し下流側に配置される必要がある。また、浄水器１２を通った水を複数の流出先に流出させるためには、浄水器１２は切替バルブＶ２に対し上流側に配置される必要がある。この配置を実現するために、第１の流出部Ｐ２及び第２の流入部Ｐ３が、流量調節バルブＶ１と切替バルブＶ２の間に設けられている。これにより、流量調節バルブＶ１及び切替バルブＶ２を一つのバルブユニット１０に設けつつ、流量調節バルブＶ１と切替バルブＶ２の間に浄水器１２を配置することが可能となっている。流量調節バルブＶ１及び切替バルブＶ２を一つのバルブユニット１０に設けることで、流量調節バルブＶ１及び切替バルブＶ２を一本の回動軸３０に連動させることが可能となっている。流量調節バルブＶ１及び切替バルブＶ２を一本の回動軸３０に連動させることにより、水の流量の調節と水の流出先の切り替えとを一本の回動軸３０で行うことができる。従って、浄水器１２を備える水栓装置１の操作を簡素化できる。
【００７１】
続いて、バルブユニット１０の変形例について説明する。図１７に示されるバルブユニット１０Ａは、切替バルブＶ２の構造を変更し、回動軸３０の中心軸線ＣＬ１を囲むように設けられた筒状の回動切替部材５１を有する切替バルブＶ３としたものである。
【００７２】
バルブユニット１０Ａは、ケース５２を備え、ケース５２は中心軸線ＣＬ１を囲む筒状部５２ａを有している。筒状部５２ａは、中心軸線ＣＬ１に沿って隣接する第２の流入部Ｐ５及び第２の流出部Ｐ６を構成している。第２の流入部Ｐ５には、周方向に沿って並ぶ複数の流入口５３が設けられている。第２の流出部Ｐ６の下側部分には、中心軸線ＣＬ１に平行な方向に沿って並ぶ２箇所に流出口５４，５５が形成されている。流出口５４はカラン４につながっている。流出口５５はシャワー５につながっている。なお、流出口５４がシャワー５につながり、流出口５５がカラン４につながっていてもよい。流出口５４，５５は、カラン、シャワー以外の流出先につながっていてもよい。
【００７３】
切替バルブＶ３は、第２の流出部Ｐ６内に収容されている。回動軸３０の一部は、第２の流出部Ｐ６内に位置している。切替バルブＶ３は、第２の流出部Ｐ６内で固定された固定切替部材５０と、回動軸３０と共に回動する回動切替部材５１とを有している。固定切替部材５０及び回動切替部材５１は、例えば金属材料により構成されている。固定切替部材５０及び回動切替部材５１は、中心軸線ＣＬ１を囲む筒状部材である。固定切替部材５０の外径は、第２の流出部Ｐ６の内径と同等である。固定切替部材５０の下側部分には、筒状部５２ａの流出口５４，５５に対応する開口部５６，５７が形成されている。
【００７４】
回動切替部材５１は、固定切替部材５０内に挿入されている。回動切替部材５１の外径は、固定切替部材５０の内径と同等である。回動切替部材５１の一端部は、第２の流入部Ｐ５側に開放されている。回動切替部材５１の他端部側において、回動軸３０にはフランジ部５８が形成されており、回動切替部材５１の他端部はフランジ部５８によって閉塞されている。第２の流入部Ｐ５側から見て、回動切替部材５１の右側部分には開口部５９が形成され（図１８参照）、左側部分には開口部６０が形成されている（図１９参照）。中心軸線ＣＬ１に平行な方向において、開口部５９の位置は開口部５６の位置に対応し、開口部６０の位置は開口部５７の位置に対応している。
【００７５】
開口部５６，５７は、回動切替部材５１によって閉塞される。第２の流入部Ｐ５側から見て回動切替部材５１が反時計回りに回動すると、開口部６０が下方に移動して開口部５７に重なる。これにより、開口部５７が開放され、開口部５７に対応する流出口５５が第２の流入部Ｐ５につながる。開口部５９は上方に移動するため、開口部５６は閉塞された状態に保たれる。このため、水は流出口５５から流出する。流出口５５から流出した水は、シャワー５を通って吐出される。
【００７６】
第２の流入部Ｐ５側から見て回動切替部材５１が時計回りに回動すると、開口部５９が下方に移動して開口部５６に重なる。これにより、開口部５６が開放され、開口部５６に対応する流出口５４が第２の流入部Ｐ５につながる。開口部６０は上方に移動するため、開口部５７は閉塞された状態に保たれる。このため、水は流出口５４から流出する。流出口５４から流出した水は、カラン４を通って吐出される。
【００７７】
このように、バルブユニット１０Ａにおいても、回動軸３０の回動方向を変えることにより、第２の流出部Ｐ６の流出口５４，５５のうち第２の流入部Ｐ５につながる流出口が切り替えられ、水の流出先がシャワー５とカラン４のいずれかに切り替えられる。
【００７８】
回動軸３０の中心軸線ＣＬ１を囲むように設けられた筒状体である回動切替部材５１を採用し、回動軸３０の回動に伴う回動切替部材５１の回動により水の流出先を切り替えることで、切替バルブの構造を簡素化できる。また、筒状の固定切替部材５０及び回動切替部材５１の製造に汎用のパイプ素材を用い、低コスト化を図ることができる。
【００７９】
図２０に示されるバルブユニット１０Ｂは、流量調節バルブＶ１の構造を変更し、回動軸３０の中心軸線ＣＬ１を囲むように設けられた筒状の回動流調部材６２を有する流量調節バルブＶ４としたものである。
【００８０】
バルブユニット１０Ｂは、ケース６３を備え、ケース６３は、中心軸線ＣＬ１を囲む筒状部６３ａを有している。筒状部６３ａは、中心軸線ＣＬ１に沿って隣接する第１の流入部Ｐ７及び第１の流出部Ｐ８を構成している。第１の流入部Ｐ７には、周方向に沿って並ぶ複数の流入口６４が設けられている。第１の流出部Ｐ８の上側部分及び下側部分のそれぞれには、流出口６５が形成されている。
【００８１】
流量調節バルブＶ４は、第１の流出部Ｐ８内に収容されており、第１の流出部Ｐ８内で固定された固定流調部材６１と、回動軸３０と共に回動する回動流調部材６２とを有している。固定流調部材６１及び回動流調部材６２は、例えば金属材料により構成されている。固定流調部材６１及び回動流調部材６２は、中心軸線ＣＬ１を囲む筒状部材である。
【００８２】
固定流調部材６１の外径は、第１の流出部Ｐ８の内径と同等である。固定流調部材６１の上側部分及び下側部分のそれぞれには、ケース６３の流出口６５に対応する開口部６６が形成されている。回動流調部材６２は、固定流調部材６１内に挿入されている。回動流調部材６２の外径は、固定流調部材６１の内径と同等である。回動流調部材６２の一端部は、第１の流入部Ｐ７側に開放されている。回動流調部材６２の他端部側において、回動軸３０にはフランジ部６７が形成されており、回動流調部材６２の他端部はフランジ部６７によって閉塞されている。回動流調部材６２の右側部分及び左側部分のそれぞれには、開口部６８が形成されている（図２１参照）。中心軸線ＣＬ１に平行な方向において、開口部６８の位置は開口部６６の位置に対応している。
【００８３】
開口部６６は、回動流調部材６２によって閉塞される。回動軸３０と共に回動流調部材６２が回動すると、開口部６８と開口部６６とが重なり、第１の流入部Ｐ７から第１の流出部Ｐ８に向かう流路が開口する。回動軸３０の回動角度を調節することにより、流路の開口面積が調節される。
【００８４】
このように、バルブユニット１０Ｂにおいても、回動軸３０の回動角度によって流量が調節される。回動軸３０の中心軸線ＣＬ１を囲むように設けられた筒状体である回動流調部材６２を採用し、回動軸３０の回動に伴う回動流調部材６２の回動により流量を調節することで、流量調節バルブの構造を簡素化できる。また、筒状の固定流調部材６１及び回動流調部材６２の製造に汎用のパイプ素材を用い、低コスト化を図ることができる。
【００８５】
なお、図２２に示されるように、流量調節バルブＶ４を第１の流入部Ｐ７内に設け、開口部６６を流入口６４に対応させてもよい。この場合、回動流調部材６２の一端部はフランジ部６７によって閉塞され、回動流調部材６２の他端部は第１の流出部Ｐ８側に開放される。
【００８６】
流量調節バルブＶ１と切替バルブＶ２の両方を、それぞれ流量調節バルブＶ４と切替バルブＶ３に変更してもよい。
【００８７】
以上、本発明の好適な実施形態について説明してきたが、本発明は必ずしも上述した実施形態に限定されるものではなく、その要旨を逸脱しない範囲で様々な変更が可能である。上述した実施形態では、切替バルブによって切替可能な流出先は、カランとシャワーの２つであったが、切替バルブによって切替可能な流出先を３つ以上にしてもよい。また、第１の流入部、第１の流出部、第２の流入部、第２の流出部の配置を適宜変更してもよい。例えば、最も基端側に第２の流出部を配置し、最も先端側に第１の流入部を配置してもよい。
【符号の説明】
【００８８】
１…水栓装置、１０，１０Ａ，１０Ｂ…バルブユニット、１２…浄水器、２３，２４，５４，５５…流出口、３０…回動軸、３３…回動流調部材（板状体）、４１…回動切替部材（板状体）、５１…回動切替部材（筒状体）、６２…回動流調部材（筒状体）、ＣＬ１…中心軸線、Ｐ１，Ｐ７…第１の流入部、Ｐ２，Ｐ８…第１の流出部、Ｐ３，Ｐ５…第２の流入部、Ｐ４，Ｐ６…第２の流出部、Ｖ１，Ｖ４…流量調節バルブ、Ｖ２，Ｖ３…切替バルブ。
【図１】
0005634480.tif 000002
【図２】
0005634480.tif 000003
【図３】
0005634480.tif 000004
【図４】
0005634480.tif 000005
【図５】
0005634480.tif 000006
【図６】
0005634480.tif 000007
【図７】
0005634480.tif 000008
【図８】
0005634480.tif 000009
【図９】
0005634480.tif 000010
【図１０】
0005634480.tif 000011
【図１１】
0005634480.tif 000012
【図１２】
0005634480.tif 000013
【図１３】
0005634480.tif 000014
【図１４】
0005634480.tif 000015
【図１５】
0005634480.tif 000016
【図１６】
0005634480.tif 000017
【図１７】
0005634480.tif 000018
【図１８】
0005634480.tif 000019
【図１９】
0005634480.tif 000020
【図２０】
0005634480.tif 000021
【図２１】
0005634480.tif 000022
【図２２】
0005634480.tif 000023